(57)【特許請求の範囲】
【請求項１】
各商品の販売状況を管理する商品情報処理システムであって、
(a) 各商品の販売情報を収集する情報収集装置と、
(b) 前記情報収集装置とネットワークを介して接続されており、
(b-1) 各商品の商品情報を格納する商品情報格納テーブルを記憶可能な記憶部と、
(b-2) 前記商品情報を前記商品情報格納テーブルに登録する商品情報登録部と、
を有する情報処理装置と、
を備え、
前記商品情報は、商品の産地情報および価格情報を含み、
前記情報収集装置は、
(a-1) 表示部と、
(a-2) 同種商品毎に前記産地情報と前記価格情報とを関連付けて表示する産地価格リストを、前記表示部に表示させる産地価格情報表示処理部と、
を有し、
前記産地価格リストに表示された各産地情報の表示態様は、対応する同種商品に添えられている纏め部材の表示態様と照応することを特徴とする商品情報処理システム。
【請求項２】
請求項１に記載の商品情報処理システムにおいて、
各纏め部材は、前記同種商品毎に異なる色に色分けされており、
前記産地価格リストに表示された各産地情報は、対応する纏め部材に付された色で色分けされていることを特徴とする商品情報処理システム。
【請求項３】
請求項１または請求項２に記載の商品情報処理システムにおいて、
前記情報収集装置は、
(a-3) 前記表示部の表示に従った入力を可能とする入力部と、
(a-4) 複数の商品識別子により構成される商品リストを、前記表示部に表示させる商品リスト表示処理部と、
(a-5) 前記入力部からの入力に基づき前記商品リストから選択された商品識別子について、該商品識別子に対応する複数の同種商品の商品情報を前記商品情報格納テーブルから抽出する抽出部と、
をさらに有し、
前記産地価格情報表示処理部は、前記抽出部により抽出された各商品情報に基づいて、前記産地価格リストを前記表示部に表示させることを特徴とする商品情報処理システム。
【請求項４】
請求項３に記載の商品情報処理システムにおいて、
前記産地価格情報表示処理部は、前記商品リストにオーバラップさせて前記産地価格リストを表示させることを特徴とする商品情報処理システム。
【請求項５】
請求項１ないし請求項４のいずれかに記載の商品情報処理システムにおいて、
前記情報処理装置は、
(b-3) 前記情報収集装置で収集された前記産地情報別の商品の販売情報を、前記記憶部に記憶された販売情報格納テーブルに登録する販売情報登録部、
をさらに有することを特徴とする商品情報処理システム。
【請求項６】
各商品の販売情報を収集する情報収集装置であって、
(a) 表示部と、
(b) 産地情報および価格情報を含む商品情報に基づいて、同種商品毎に前記産地情報と前記価格情報とを関連付けて表示する産地価格リストを、前記表示部に表示させる産地価格情報表示処理部と、
を有し、
前記産地価格リストに表示された各産地情報の表示態様は、対応する同種商品に添えられている纏め部材の表示態様と照応することを特徴とする情報収集装置。
【発明の詳細な説明】
【技術分野】
【０００１】
本発明は、店舗で販売される各商品の販売状況を管理する商品情報処理システム、および商品情報処理システムの構成要素であり各商品の販売情報を収集する情報収集装置に関するものであり、特に、商品識別手法の改良に関する。
【背景技術】
【０００２】
従来、ラベルプリンタに記憶されている商品情報ファイル（プライスルックアップ・ファイル）の商品情報（例えば、原産地情報）を変更する技術が知られている（例えば、特許文献１）。特許文献１では、メッセージ一覧に表示された項目のうちのいずれかがオペレータから選択されることによって、対象となる商品情報が変更される。この場合において、メッセージ一覧からすでに選択されたことのある「原産地」は、他の「原産地」と異なる態様で表示される。
【０００３】
また、店舗管理システムを構成し、店舗内に配備されるサーバーについて、品名と産地とを関連付けた商品情報を該サーバの記憶部に記憶する技術についても、従来より知られている（例えば、特許文献２）。また、バーコードスキャナーにより読み出されたバーコード（商品コード）に基づき商品の価格情報を取得する技術についても、従来より知られている（例えば、特許文献２）。さらに、操作パネル制御装置おいて、商品グループ単位で商品アイテムを切替え表示する技術についても、従来より知られている（例えば、特許文献３）。
【０００４】
【特許文献１】特開２００２−１８３８３６号公報
【特許文献２】特開２００５−２５４４５９号公報
【特許文献３】特開２０００−３３９５５０号公報
【発明の開示】
【発明が解決しようとする課題】
【０００５】
ここで、ＰＯＳ（Point Of Sales）端末において、商品自体にバーコード等の商品識別情報を付すことが困難な商品（例えば、野菜や果物等）の価格指定は、通常、表示部に表示されたアイテムから、対応する商品のアイテムが選択されることにより行われる。この場合、産地毎に異なる価格が設定されている商品については、表示部に産地毎のアイテムを表示することが必要となる。しかしながら、表示部に表示できる商品のアイテム数には限りがあるため、産地毎にアイテムを表示することが困難な場合がある。
【０００６】
また、商品識別情報を付すことが困難な商品について、産地毎に異なる価格が設定されている場合、ＰＯＳ端末のオペレータは、商品毎に産地を判別し、価格を指定することが必要となる。その結果、ＰＯＳ端末のオペレータの価格指定負担が増大し、場合によっては間違った商品価格が指定されるという問題が生ずる。
【０００７】
そこで、本発明では、各同種商品の価格情報を容易に指定することができる商品情報処理システムおよび情報収集装置を提供することを目的とする。
【課題を解決するための手段】
【０００８】
上記の課題を解決するため、請求項１の発明は、各商品の販売状況を管理する商品情報処理システムであって、各商品の販売情報を収集する情報収集装置と、前記情報収集装置とネットワークを介して接続されており、各商品の商品情報を格納する商品情報格納テーブルを記憶可能な記憶部と、前記商品情報を前記商品情報格納テーブルに登録する商品情報登録部とを有する情報処理装置とを備え、前記商品情報は、商品の産地情報および価格情報を含み、前記情報収集装置は、表示部と、同種商品毎に前記産地情報と前記価格情報とを関連付けて表示する産地価格リストを、前記表示部に表示させる産地価格情報表示処理部と、を有し、前記産地価格リストに表示された各産地情報の表示態様は、対応する同種商品に添えられている纏め部材の表示態様と照応することを特徴とする。
【０００９】
また、請求項２の発明は、請求項１に記載の商品情報処理システムにおいて、各纏め部材は、前記同種商品毎に異なる色に色分けされており、前記産地価格リストに表示された各産地情報は、対応する纏め部材に付された色で色分けされていることを特徴とする。
また、請求項３の発明は、請求項１または請求項２に記載の商品情報処理システムにおいて、前記情報収集装置は、前記表示部の表示に従った入力を可能とする入力部と、複数の商品識別子により構成される商品リストを、前記表示部に表示させる商品リスト表示処理部と、前記入力部からの入力に基づき前記商品リストから選択された商品識別子について、該商品識別子に対応する複数の同種商品の商品情報を前記商品情報格納テーブルから抽出する抽出部と、をさらに有し、前記産地価格情報表示処理部は、前記抽出部により抽出された各商品情報に基づいて、前記産地価格リストを前記表示部に表示させることを特徴とする。
【００１０】
また、請求項４の発明は、請求項３に記載の商品情報処理システムにおいて、前記産地価格情報表示処理部は、前記商品リストにオーバラップさせて前記産地価格リストを表示させることを特徴とする。
【００１１】
また、請求項５の発明は、請求項１ないし請求項４のいずれかに記載の商品情報処理システムにおいて、前記情報処理装置は、前記情報収集装置で収集された前記産地情報別の商品の販売情報を、前記記憶部に記憶された販売情報格納テーブルに登録する販売情報登録部、をさらに有することを特徴とする。
【００１２】
また、請求項６の発明は、各商品の販売情報を収集する情報収集装置であって、表示部と、産地情報および価格情報を含む商品情報に基づいて、同種商品毎に前記産地情報と前記価格情報とを関連付けて表示する産地価格リストを、前記表示部に表示させる産地価格情報表示処理部と、を有し、前記産地価格リストに表示された各産地情報の表示態様は、対応する同種商品に添えられている纏め部材の表示態様と照応することを特徴とする。
【発明の効果】
【００１３】
本願記載の発明によれば、複数の同種商品は、商品リストでは１つの商品識別子として表示可能とされている。また、産地毎の価格情報は、この商品識別子が選択されることにより表示される産地価格リストに基づいて指定される。そのため、商品リストに表示可能な商品識別子の数を増大させることなく、産地毎に価格情報を指定することが可能となる。
【００１４】
また、本願記載の発明において、商品情報収集装置の使用者は、纏め部材に対応する表示態様の産地情報を産地価格リストから選択することによって、産地情報に対応した価格情報を容易に指定することができる。そのため、商品情報収集装置の使用者の価格指定負担を軽減することができる。
【００１５】
特に、請求項２に記載の発明において、産地価格リストに表示された各産地情報は、対応する纏め部材の色で色分けされている。これにより、商品情報収集装置の使用者は、同種商品のそれぞれに添えられている纏め部材の色を判別するだけで、産地情報に対応した価格情報を指定することができる。そのため、商品情報収集装置の使用者の価格指定負担をさらに軽減させることができる。
【００１６】
特に、請求項４に記載の発明によれば、商品リストにオーバラップさせて産地価格リストを表示させることができる。そのため、表示部の解像度を増大させることなく、産地毎の価格情報を表示部に表示させることができる。
【００１７】
特に、請求項５に記載の発明によれば、産地情報別に商品の販売状況を集計することができる。そのため、同種商品全体の売上状況だけでなく、産地情報別の売上状況をも分析することが可能となる。
【発明を実施するための最良の形態】
【００１８】
以下、図面を参照しつつ本発明の実施の形態について詳細に説明する。
【００１９】
＜１．商品情報処理システムの構成＞
図１は、本実施の形態における商品情報処理システム５００の構成の一例を示す図である。ここで、商品情報処理システム５００は、いわゆるＰＯＳシステム（販売時点管理システム）を構成している。商品情報処理システム５００は、店舗で商品が販売されるごとに、商品の販売情報（商品名、販売数量、および販売日時等）を記録して、各商品の販売状況を管理する。そして、この販売情報は、集計および分析されて、売上管理や生産計画等に利用される。図１に示すように、商品情報処理システム５００は、主として、複数のＰＯＳ端末１と、各ＰＯＳ端末１とネットワーク４００を介して電気的に接続されたＰＯＳサーバ１００と、備えている。
【００２０】
ＰＯＳ端末１は、各商品の販売情報を収集する情報収集装置である。ＰＯＳ端末１は、収集した販売情報を、逐次または所定のタイミングで、ＰＯＳサーバ１００に送信する。なお、ＰＯＳ端末１の詳細については、後述する。
【００２１】
図２は、ＰＯＳサーバ１００の機能構成の一例を示すブロック図である。ＰＯＳサーバ１００は、いわゆるパーソナルコンピュータやワークステーション等によって構成された情報処理装置であり、例えば、商品の商品情報や販売情報を一元管理する。図２に示すように、ＰＯＳサーバ１００は、主として、表示部１１０と、大容量記憶部１６０と、ＣＰＵ１７０と、を有している。
【００２２】
表示部１１０は、例えば液晶ディスプレイやＣＲＴ（Cathode Ray Tube）ディスプレイにより構成されており、画面に文字や画像等を表示する表示装置である。また、操作部１２０は、キーボードやマウス等により構成される入力部である。ＰＯＳサーバ１００の使用者は、表示部１１０の表示内容に基づいた入力作業を操作部１２０から行うことによって、ＰＯＳサーバ１００に対して所定の処理（例えば、後述する商品情報の登録処理等）を実行させることができる。
【００２３】
通信部１３０は、インターネット、有線ＬＡＮ（Local Area Network）、または無線ＬＡＮ等のネットワーク４００を介したデータ通信を行うインターフェースである。ＰＯＳサーバ１００は、通信部１３０により実現される通信機能によって、各ＰＯＳ端末１との間でデータの送受信を行う。
【００２４】
ＲＯＭ（Read Only Memory）１４０は、例えば読み出し専用の不揮発性メモリにより構成された記憶部であり、ＣＰＵ１７０に所定の演算処理を実現させるプログラム等が記憶されている。また、ＲＡＭ（Random Access Memory）１５０は読み書き自在の揮発性メモリにより構成された記憶部であり、ＣＰＵ１７０の演算処理で使用されるデータ等が一時的に記憶される。
【００２５】
なお、ＲＯＭ１４０としては、電気的に書き換え可能であり、ＰＯＳサーバ１００への電源供給が切断されても記憶されたデータが保持され続ける不揮発性のフラッシュＲＯＭが使用されてもよい。
【００２６】
大容量記憶部１６０は、例えばハードディスクドライブやシリコンディスクドライブのように、ＲＡＭ１５０と比較して大きな記憶容量を持つ記憶部である。本実施の形態において、大容量記憶部１６０は、少なくとも商品情報格納テーブル１６１と販売情報格納テーブル１６２とが記憶可能とされている。
【００２７】
図３は、商品情報格納テーブル１６１のデータ構造の一例を示す図である。また、図４は、販売情報格納テーブル１６２のデータ構造の一例を示す図である。ここで、商品情報格納テーブル１６１は、店舗で販売される各商品の商品情報が格納される２次元の表である。また、販売情報格納テーブル１６２は、各ＰＯＳ端末１により収集された商品の販売情報が格納される２次元の表である。
【００２８】
図３に示すように、商品情報格納テーブル１６１は、主として、「商品ＩＤ」、「商品分類」、「商品名」、「産地情報」、「価格情報」、および「色情報」の各フィールド（列）を有している。
【００２９】
「商品ＩＤ」フィールドには、商品情報格納テーブル１６１に含まれる各レコード（各行）を一意に識別するためのデータ（数値）が格納されている。すなわち、着目レコードの「商品ＩＤ」フィールドの値は、他のレコードの「商品ＩＤ」フィールドの値と同一とならない。
【００３０】
また、「商品分類」フィールドには、各商品の種類分けに使用される文字列（例えば、「青果」や「惣菜」等）が格納されている。また、「商品名」フィールドには、各商品の商品名を示す文字列（例えば、「ピーマン」や「きゅうり」等）が格納されている。
【００３１】
ここで、本実施の形態では、主として、各商品の素材に着目した種類分けがなされており、「ピーマン」や「ねぎ」等の野菜および果物は「青果」に、「コロッケ」等の加工品は「惣菜」に、それぞれ分類されている。
【００３２】
また、「産地情報」フィールドには、各商品の産地名を示す文字列（例えば、外国の国名、日本の都道府県名、または地域名（日本および外国のいずれでもよい）等）が格納されている。また、「価格情報」には、各商品の単価（例えば、商品１袋当たりの価格や、商品１個当たり価格）を示す数値が格納されている。
【００３３】
このように、本実施の携帯の商品情報は、少なくとも、商品の産地情報および価格情報を含む。また、本実施の形態の商品情報処理システム５００では、商品名が同一で産地が相違する商品（以下、単に、「同種商品」とも呼ぶ）であっても、産地毎に価格を設定することができる。
【００３４】
また、「色情報」フィールドには、同種商品を産地毎に識別可能とするため、同種商品に添えられている纏め部材８（図５および図６参照）の色情報が格納されている。
【００３５】
ここで、バーコードを付することができる商品の場合、ＰＯＳ端末１は、読み取られたバーコード（商品識別情報）に基づいて、各商品の商品情報（例えば、価格情報）を取得することができる。しかしながら、野菜や果物等のように商品自体にバーコードを付すことが困難なものについては、バーコードに基づいた商品情報の取得処理を実行することができない。
【００３６】
また、バーコードを付すことが困難な商品では、商品識別情報として商品名のみが使用されるため、産地毎に異なる価格を設定することができず、同種商品であっても産地毎に商品価格が異なるという流通実態にそぐわない結果となる。
【００３７】
そこで、本実施の形態では、同種商品の識別子として纏め部材８を使用することによって、同種商品を産地毎に判別可能としている。図５および図６は、纏め部材８（８ａ、８ｂ）の一例を示す図である。纏め部材８は、主として、複数の商品７を１つに纏めるために使用されるものである。例えば、図５の場合、複数のピーマン７ａは、１つの袋８ａに袋詰めされることにより１つに纏められる。また、図６の場合、複数のネギ７ｂは、結束用テープ８ｂで結束されることにより１つに纏められる。
【００３８】
また、纏め部材８には、同種商品を産地毎に識別可能とする識別標識９が付与されている。例えば、袋８ａの場合には、袋の外周に沿った帯状体として構成されており、産地毎に異なる色に色分けされた標識部９ａが設けられている（図５参照）。また、結束用テープ８ｂの場合には、テープ表面９ｂが産地毎に異なる色に色分けされている（図６参照）。したがって、ＰＯＳ端末１のオペレータ（以下、単に、「オペレータ」と呼ぶ）は、纏め部材８に付与された色を識別することによって、同種商品の産地を判別することができる。
【００３９】
このように、本実施の形態において、纏め部材８は同種商品を産地毎に識別するということを主目的として使用されている。そのため、纏め部材８は、纏めることが不要な場合（例えば、１個の商品の場合）であっても使用される。例えば、図５のピーマン７ａの場合、１個ずつ袋８ａに袋詰めされてもよい。また、図６のネギ７ｂの場合、１本ずつ結束用テープ８ｂが巻かれてもよい。
【００４０】
図７は、商品情報登録ダイアログ１１１の一例を示す図である。商品情報登録ダイアログ１１１は、産地毎の商品情報の登録に使用されるダイアログボックスである。図７に示すように、商品情報登録ダイアログ１１１は、主として、複数のコンボボックス１１２、１１３、１１６と、複数のテキストボックス１１４、１１５と、を有している。
【００４１】
ＰＯＳサーバ１００の使用者は、操作部１２０から文字列を入力することによって、コンボボックス１１２に「商品分類」を入力することができる。また同様に、コンボボックス１１３には「商品名」が、テキストボックス１１４には商品の「産地名」が、テキストボックス１１５には商品の「価格」が、コンボボックス１１６には纏め部材８の「色情報」が、それぞれ入力される。
【００４２】
また、コンボボックス１１２、１１３、１１６について、右端部のリスト表示ボタン１１２ａ、１１３ａ、１１６ａが押されると、選択可能な項目の一覧が表示される。図７には、一覧の例として表示態様入力用コンボボックス１１６で選択可能な項目（色情報）が表示されている。ＰＯＳサーバ１００の使用者により一覧の中から１つの項目が選択されると（図７場合、「赤」が選択されて反転表示されている）、コンボボックス１１６に「赤」が入力される。
【００４３】
そして、コンボボックス１１２、１１３、１１６、および複数のテキストボックス１１４、１１５のそれぞれにデータが入力された後に、ＯＫボタン１１８ａが押されると、（１）商品情報の追加の場合には商品情報格納テーブル１６１に新たなレコードが追加され、（２）商品情報の修正の場合には、既存のレコードが商品情報登録ダイアログ１１１に入力された内容で更新される。そして、レコードの追加または更新後に、商品情報登録ダイアログ１１１が閉じられる。一方、キャンセルボタン１１８ｂが押されると、レコードの追加または更新が実行されずに、商品情報登録ダイアログ１１１が閉じられる。
【００４４】
図４に戻って、販売情報格納テーブル１６２は、主として、「販売ＩＤ」、「商品ＩＤ」、「商品名」、「産地情報」、「販売数量」、および「販売日時」の各フィールドを有している。
【００４５】
「販売ＩＤ」フィールドには、販売情報格納テーブル１６２に含まれる各レコードを一意に識別するためのデータ（数値）が格納されている。「商品ＩＤ」には、商品の販売時に商品コードとしてＰＯＳ端末１で入力された「商品ＩＤ」が格納される。また、「販売日時」フィールドには、対応する商品が販売された日時が格納される。また、「販売数量」フィールドには、対応する商品の販売数量を示す数値が格納される。さらに、「商品名」および「産地情報」には、それぞれ対応する商品の商品名および産地名が格納される。
【００４６】
ここで、「商品ＩＤ」フィールドは、商品情報格納テーブル１６１の「商品ＩＤ」フィールドと関連付けられており、「商品ＩＤ」フィールドには、商品情報格納テーブル１６１の「商品ＩＤ」のうちのいずれかの値が格納されるように設定されている。すなわち、商品情報格納テーブル１６１と販売情報格納テーブル１６２との間には一対多リレーションシップが設定されている。
【００４７】
したがって、販売情報格納テーブル１６２には「価格情報」フィールドが設けられていないが、（１）商品情報格納テーブル１６１のレコードのうち、販売情報格納テーブル１６２の「商品ＩＤ」の値と同一となるレコードが抽出され、続いて、（２）抽出されたレコードの「価格情報」フィールドの値が参照されることによって、対応する商品の価格情報が取得される。
【００４８】
図２に戻って、ＣＰＵ１７０は、主として、商品情報の登録機能と、販売情報の登録機能と、を実現する。これら機能は、それぞれＣＰＵ１７０内に示される商品情報登録部１７１および販売情報登録部１７２に対応する。
【００４９】
商品情報登録部１７１は、店舗で販売される各商品の商品情報を商品情報格納テーブル１６１に登録する。例えば、商品情報登録部１７１は、商品情報登録ダイアログ１１１の入力結果に基づいて、商品情報格納テーブル１６１に新規レコードを追加し、または既存のレコードを更新する。
【００５０】
販売情報登録部１７２は、各ＰＯＳ端末１で収集され、各ＰＯＳ端末１から送信される情報（データ）を商品の販売情報として販売情報格納テーブル１６２に登録する。例えば、販売された商品の「商品ＩＤ」、「販売数量」、および「販売日時」がＰＯＳ端末１から送信されると、販売情報登録部１７２は、販売情報格納テーブル１６２に新規レコードを追加する。次に、販売情報登録部１７２は、一意に定まる値を新規レコードの「販売ＩＤ」フィールドに格納する。続いて、販売情報登録部１７２は、「商品ＩＤ」、「販売数量」、および「販売日時」の値を、新規レコードの対応するフィールドに格納する。
【００５１】
続いて、販売情報登録部１７２は、商品情報格納テーブル１６１のレコードのうち、ＰＯＳ端末１から送信された「商品ＩＤ」の値と同一となるレコードを抽出する。そして、販売情報登録部１７２は、抽出されたレコードの「商品名」および「産地情報」の値を、追加レコードの対応するフィールドに格納する。
【００５２】
このように、販売情報登録部１７２は、産地情報別に商品の販売情報を販売情報格納テーブル１６２に登録することができる。これにより、ＰＯＳサーバ１００は、産地情報別に商品の販売状況を集計することができる。そのため、ＰＯＳサーバ１００は、同種商品全体の売上状況だけでなく、産地情報別の売上状況をも分析することができる。
【００５３】
＜２．ＰＯＳ端末の構成＞
ＰＯＳ端末１は、ＰＯＳシステムに対応したキャッシュ・レジスターである。図１に示すように、ＰＯＳ端末１は、レジ台６上に設けられたターミナルユニット３と、読取ユニット５と、から構成されている。
【００５４】
ターミナルユニット３は、ＰＯＳサーバ１００との間でデータ通信することによって、店舗内で販売される商品の商品情報を取得する。また、ターミナルユニット３は、顧客に販売された商品の販売情報をＰＯＳサーバ１００に送信する。
【００５５】
読取ユニット５は、各商品の商品識別情報（「商品ＩＤ」）を読取部２５により読み取る。また、読取ユニット５では、読取側表示部１０の表示に従った入力によって、各商品の商品識別情報が入力される。そして、ターミナルユニット３は、読取ユニット５から入力された商品識別情報に基づいて、各商品の価格情報を取得する。
【００５６】
図８は、ＰＯＳ端末１の機能構成の一例を示すブロック図である。図８に示すように、ＰＯＳ端末１は、主として、読取側表示部１０と、読取部２５と、ＣＰＵ７０と、を有している。
【００５７】
読取側表示部１０は、図１に示すように、読取ユニット５の上部に配設されている。読取側表示部１０は、例えば液晶ディスプレイにより構成されており、画面に文字や画像等を表示することができる。また、読取側表示部１０の画面には、価格選択画面（後述する図９ないし図１１参照）が表示可能とされている。
【００５８】
さらに、読取側表示部１０は、指や専用のペンで画面に触れることにより画面上の位置を指定できる「タッチパネル」機能を有している。したがって、オペレータは、読取側表示部１０に表示された内容に基づき、タッチパネル機能を使用した入力作業を行うことによって、ＰＯＳ端末１に対して所定の動作を実行させたり、データ入力を行うことができる。このように、読取側表示部１０は、画面の表示に従った入力を可能とする入力部としても使用される。
【００５９】
ターミナル側表示部１９は、図１に示すように、ターミナルユニット３の上部に配設されている。ターミナル側表示部１９は、読取側表示部１０と同様に、表示機能およびタッチパネル機能を有している。また、ターミナル側表示部１９には、読取側表示部１０と同様に、価格選択画面が表示可能とされている。
【００６０】
操作部２０は、例えばキーパッドによって構成される入力部であり、読取側表示部１０付近に配設されている。オペレータは、読取側表示部１０の表示内容に基づいた入力作業を操作部２０から実行することによって、ＰＯＳ端末１に対して所定の動作を実行させたり、データ入力を行うことができる。
【００６１】
読取部２５は、例えばＣＣＤ（Charge Coupled Devices）やＣＭＯＳ（Complementary Metal Oxide Semiconductor）などの撮像素子を有するスキャナであり、商品に貼付または直接印刷されたバーコード等の画像を読み取る。図１に示すように、読取部２５は、読取ユニット５胴部のオペレータ側に設けられている。ＰＯＳ端末１は、読取部２５で読み取られた画像に対して認識処理を施すによって、各商品の商品識別情報（「商品ＩＤ」）を取得する。なお、本実施の形態では、読取ユニット５に固定された定置式のスキャナが読取部２５として採用されているが、これに限定されるものでなく、ハンディタイプのスキャナが採用されてもよい。
【００６２】
通信部３０は、通信部１３０と同様に、ネットワーク４００を介したデータ通信を行うインターフェースであり、例えばターミナルユニット３に設けられている。ＰＯＳ端末１は、通信部３０により実現される通信機能によって、ＰＯＳサーバ１００との間でデータの送受信を行う。
【００６３】
ＲＯＭ４０は、ＲＯＭ１４０と同様に、例えば読み出し専用の不揮発性メモリにより構成された記憶部であり、ＣＰＵ７０に所定の演算処理を実現させるプログラム等が記憶されている。また、ＲＡＭ５０は読み書き自在の揮発性メモリにより構成された記憶部であり、ＣＰＵ７０の演算処理で使用されるデータ等が一時的に記憶される。なお、ＲＯＭ４０としては、ＲＯＭ１４０と同様に、不揮発性のフラッシュＲＯＭが使用されてもよい。
【００６４】
ＣＰＵ７０は、主として、価格選択画面に商品リスト（図９参照）および産地価格リスト（図１０参照）を表示させる機能と、同種商品の商品情報を抽出する機能と、を実現する。これら機能は、それぞれＣＰＵ７０内に示される商品リスト表示処理部７１（第１表示処理部）、産地価格情報表示処理部７２（第２表示処理部）、および抽出部７３に対応する。
【００６５】
ここで、価格選択画面について説明する。図９ないし図１１は、ＰＯＳ端末１の読取側表示部１０に表示される価格選択画面の一例を示す図である。価格選択画面は、図９に示すように、商品リスト表示領域１１と、選択商品情報表示領域１５と、小計表示領域１７と、を有している。
【００６６】
商品リスト表示領域１１は、図９に示すように、価格選択画面の中央付近に確保されている。商品リスト表示領域１１には、複数（本実施の形態では、図示の都合上８個）の商品ボタン１１ａが配置されている。各商品ボタン１１ａは、例えば野菜や果物等のように商品自体にバーコード等の商品コードを付すことが困難な商品に対応している。また、各商品ボタン１１ａの表面には、対応する商品の商品名を示す文字列が表示されている。
【００６７】
このように、各商品ボタン１１ａの表面に表示された文字列（商品名）は、一の商品を他の商品から識別するために使用される商品識別子としての機能を有する。また、各商品ボタン１１ａの表面に表示された複数の商品識別子によって、商品リストが構成される。
【００６８】
ここで、店舗で販売される商品は、商品の性質に応じていくつかのグループに種類分け（分類）されており、商品リスト表示領域１１には、商品分類毎の商品ボタン１１ａが配置可能とされている。そして、商品分類の切り替えは、商品リスト表示領域１１の右斜め上方に配置されている分類別商品リスト呼出ボタン１２により行われる。例えば、図９に示される商品リストは、分類別商品リスト呼出ボタン１２のうち、ボタン表面に「青果」と表示されたボタン１２ａが押された場合に表示される。
【００６９】
また、商品リスト表示領域１１に表示される商品ボタン１１ａの数は、読取側表示部１０の解像度や、オペレータの便宜（例えば、押しやすさの観点から設定された各商品ボタン１１ａのボタンサイズ等）を考慮に入れて設定される。
【００７０】
選択商品情報表示領域１５は、オペレータにより指定された商品の情報が表示される。図９に示すように、選択商品情報表示領域１５は、主として、商品名表示領域１５ａと、単価・点数表示領域１５ｂと、価格表示領域１５ｃと、を有している。
【００７１】
商品名表示領域１５ａには、オペレータによって指定された商品の名前が表示される。また、単価・点数表示領域１５ｂには、オペレータにより指定された商品単価および商品数が表示される。また、価格表示領域１５ｃには、商品単価に商品数量を乗じた値（金額）が表示される。
【００７２】
特殊ボタン１６は、例えば値引きボタンや割引ボタン等から構成されており、入力された商品の価格から所定額を値引きしたり、所定の割合で商品価格を割り引きする時に使用される。
【００７３】
小計表示領域１７は、精算済みの商品数および精算済み商品の小計が表示される。この精算済みの商品数には、オペレータが価格選択画面を介して価格情報が入力された商品数だけでなく、読取ユニット５の読取部２５により商品識別情報が読み取られた商品数も含まれる。
【００７４】
ここで、オペレータによる商品価格の指定について、１つの商品が１つの商品ボタン１１ａに対応している場合（すなわち、複数の同種商品が１つの商品ボタン１１ａに対応している場合でない）、商品ボタン１１ａには対応する商品の「商品ＩＤ」が割り当てられている。したがって、商品ボタン１１ａが押されると、ＰＯＳ端末１には商品ボタン１１ａに対応する「商品ＩＤ」が入力される。したがって、入力された「商品ＩＤ」と同一値となるレコードが商品情報格納テーブル１６１から抽出されることによって、対応する商品の価格情報が取得される。
【００７５】
一方、商品ボタン１１ａに対応する商品について、商品名が同一だが産地が相違する同種商品が複数ある場合、商品ボタン１１ａには対応する商品の商品名が割り当てられている。そして、商品ボタン１１ａが押されると、ＰＯＳ端末１には商品ボタン１１ａに対応する商品名が入力され、価格選択画面内には入力された商品名に対応する産地価格リストが表示される。
【００７６】
図１０は、複数の同種商品と対応する商品ボタン１１ａが押された場合において、価格選択画面に表示される産地価格リストの一例を示す。具体的には、図１０の産地価格リストは、商品名「ピーマン」が割り当てられている商品ボタン１１ａが押された時に表示される。
【００７７】
産地価格リスト表示領域１８は、図１０に示す「産地確認」ダイアログを表示する領域である。産地価格リスト表示領域１８は、複数の同種商品に対応する商品ボタン１１ａが押さた場合に、商品リスト表示領域１１より手前に、かつ、商品リスト表示領域１１と重なり合うように確保される。産地価格リスト表示領域１８には、複数の産地ボタン１８ａが縦一列に配置されている。また、各産地ボタン１８ａの右隣には、産地に対応する商品の価格ボタン１８ｂが縦一列に配置されている。さらに、図１０に示すように、各産地ボタン１８ａの表面には対応する産地情報を示す文字列が、各価格ボタン１８ｂの表面には対応する価格情報を示す文字列が、それぞれ表示されている。
【００７８】
このように、産地価格リスト表示領域１８には、同種商品毎に産地情報と価格情報とを関連付けた産地リストが、商品リストにオーバラップして表示される。そのため、読取側表示部１０の解像度を増大させることなく、産地情報別の価格情報を表示部に表示させることができる。
【００７９】
ここで、上述のように、各同種商品の纏め部材８には、他の同種商品と識別可能とする識別標識９が付与されている。一方、各産地ボタン１８ａの表面に付されている各産地情報の表示態様は、対応する同種商品に添えられている纏め部材の表示態様と照応する。
【００８０】
例えば、商品がピーマンの場合、各袋８ａには、図５に示すように、産地毎に異なる色に色分けされた標識部９ａが設けられている。一方、図１０の上端の産地ボタン１８ａ表面に示される産地情報は、対応する標識部９ａに付された色（図示の都合上、いずれも右上がり斜線）で色分けされている。すなわち、産地情報の色と、標識部９ａの色とは一致している。そのため、オペレータは、袋８ａを一瞥しただけで、このピーマンの産地が高知産であると判断することができ、図５の高知産のピーマンを他の産地のピーマンと識別することができる。
【００８１】
このように、オペレータは、その表面に、纏め部材８の表示態様と照応する産地ボタン１８ａを選択して押されることによって、産地情報に対応した価格情報を容易に指定することができる。そのため、オペレータの価格指定負担を軽減させることができる。
【００８２】
特に、上述のように、纏め部材８の識別標識９の色と、産地ボタン１８ａの表示色とが一致している場合、オペレータは、色を識別するだけで、産地情報に応じた価格情報を指定することができる。そのため、オペレータの価格指定負担をさらに軽減させることができる。
【００８３】
なお、各産地ボタン１８ａには、対応する商品の「商品ＩＤ」が割り当てられている。例えば、図１０において「高知産」の文字列が表示された産地ボタン１８ａには、「商品ＩＤ」＝「１０１００」が割り当てられている。したがって、オペレータによって標識部９ａに対応する産地ボタン１８ａを押されると、ＰＯＳ端末１には産地ボタン１８ａに対応する商品の「商品ＩＤ」が入力される。
【００８４】
図１１は、図１０の産地価格リスト表示領域１８に表示された産地ボタン１８ａのうち、ボタン表面に「鹿児島産」と表示されたものが押された場合において、読取側表示部１０に表示される価格選択画面を示す。
【００８５】
ここで、いずれかの産地ボタン１８ａが押されると、産地リストが閉じられる。また、産地ボタン１８ａの押し下げによりＰＯＳ端末１に入力された「商品ＩＤ」に基づき、選択商品情報表示領域１５の表示が更新される。例えば、ボタン表面に「鹿児島産」と表示された産地ボタン１８ａが押されると、ＰＯＳ端末１には、「商品ＩＤ」＝「１０１０３」（図３参照）が入力される。そして、選択商品情報表示領域１５の商品名表示領域１５ａには、産地情報を含めた商品名（「鹿児島産  ピーマン」）が表示される。また、価格表示領域１５ｃは、価格情報として「１０８円」が表示される。
【００８６】
図８に戻って、商品リスト表示処理部７１、産地価格情報表示処理部７２および、抽出部７３について説明する。商品リスト表示処理部７１は、商品ボタン１１ａを商品リスト表示領域１１に表示させる処理を実行する。また、商品リスト表示処理部７１は、各商品ボタン１１ａの表面に、商品分類に応じた商品名を表示させる処理も実行する。
【００８７】
例えば、商品リスト表示処理部７１は、分類別商品リスト呼出ボタン１２の押し下げ動作に応じて、各商品ボタン１１ａの表面に表示された商品名を更新する。このように、商品リスト表示処理部７１は、複数の商品識別子（例えば、商品名を示す文字列）により構成される商品リストを読取側表示部１０に表示させる。
【００８８】
抽出部７３は、複数の同種商品に対応する商品ボタン１１ａが押された場合において、各同種商品の商品情報を商品情報格納テーブル１６１から抽出する。例えば、商品リスト表示領域１１の最左端列下側に配置された商品ボタン１１ａが押されると、ＰＯＳ端末１には商品名「ピーマン」が入力される。
【００８９】
この場合、抽出部７３は、通信部３０およびネットワーク４００を介して、ＰＯＳサーバ１００に記憶された商品情報格納テーブル１６１にアクセスする。次に、商品情報格納テーブル１６１の「商品名」フィールドに「ピーマン」が格納されているレコードを抽出する。そして、抽出されたレコード（この場合、「商品ＩＤ」＝「１０１００」、「１０１０２」、「１０１０３」、および「１０１０５」となるレコードが抽出される）から、「商品ＩＤ」、「産地情報」、「価格情報」、および「色情報」の各フィールドの値を取得する。
【００９０】
このように、抽出部７３は、読取側表示部１０のタッチパネル機能を利用した入力に基づき、商品リストから選択された商品名について、この商品名に対応する複数の同種商品の商品情報を商品情報格納テーブル１６１から抽出する。
【００９１】
産地価格情報表示処理部７２は、産地価格リスト表示領域１８を確保するとともに、抽出部７３により抽出された商品情報に基づいて産地価格リストを表示させる処理を実行する。すなわち、産地価格情報表示処理部７２は、各産地ボタン１８ａの表面に「産地情報」に対応する文字列を表示する。例えば、最上部の産地ボタン１８ａの表面には、「高知産」と表示される。
【００９２】
また、産地価格情報表示処理部７２は、「色情報」に基づいて各産地ボタン１８ａの表面を色分けする。例えば、「高知産」と表示されたの産地ボタン１８ａの表面は、赤色に着色される。これにより、同種商品のそれぞれに添えられている纏め部材８の表示態様と、産地価格リストに表示される各産地ボタン１８ａの表示態様と、が対応させられる。
【００９３】
また、産地価格情報表示処理部７２は、各価格ボタン１８ｂの表面に「価格情報」に対応する文字列を表示する。例えば、最上部の価格ボタン１８ｂの表面には、「１００円」と表示される。
【００９４】
このように、ＰＯＳ端末１は、抽出部７３によって抽出された産地情報と価格情報とを関連付けた産地価格リストを、読取側表示部１０に表示することができる。
【００９５】
さらに、産地価格情報表示処理部７２は、産地ボタン１８ａおよび価格ボタン１８ｂに対応する商品の「商品ＩＤ」を割り当てる。これにより、商品に添えられた纏め部材８をに基づいて商品の産地が選択され、対応する産地ボタン１８ａおよび価格ボタン１８ｂのいずれかが押されると、ＰＯＳ端末１には、対応する商品の「商品ＩＤ」が入力される。
【００９６】
＜３．本実施の形態のＰＯＳ端末および商品情報処理システムの利点＞
以上のように、本実施の形態のＰＯＳ端末１および商品情報処理システム５００では、同種商品に対応する１つの商品ボタン１１ａが押されると、価格選択画面に産地価格リストが表示される。そして、各同種商品の価格は、この産地価格リストに基づいて指定される。すなわち、産地情報に応じて価格情報を設定可能な同種商品については、産地毎に商品ボタン１１ａを設ける必要がない。そのため、商品リストに表示可能な商品名（商品識別子）の数を増大させることなく、産地毎に価格情報を指定することができる。
【００９７】
また、本実施の形態のＰＯＳ端末１および商品情報処理システム５００において、オペレータは、纏め部材８の識別標識９の色に一致する産地ボタン１８ａを選択することによって、産地情報に対応した価格情報を容易に指定することができる。そのため、オペレータの価格指定負担を軽減させることができる。
【００９８】
＜４．変形例＞
以上、本発明の実施の形態について説明してきたが、本発明は上記実施の形態に限定されるものではなく様々な変形が可能である。
【００９９】
（１）本実施の形態において、商品リストを構成する各商品ボタン１１ａには、商品識別子として商品名を示す文字列が表示されているものとして説明したが、商品識別子はこれに限定されるものでなく、例えば、商品を示す写真や図案であってもよい。すなわち、商品識別子は、一の商品を他の商品から識別できるように構成されていればよい。
【０１００】
（２）また、本実施の形態において、図２中の商品情報登録部１７１および販売情報登録部１７２と、図８中の商品リスト表示処理部７１、産地価格情報表示処理部７２、および抽出部７３とは、それぞれプログラムに従いＣＰＵ１７０、７０で実現されるものとして説明したが、これに限定されるものでない。例えば、演算回路（ハードウェア）によって、これら演算機能が実現されてもよい。
【図面の簡単な説明】
【０１０１】
【図１】本発明の実施の形態における商品情報処理システムの構成の一例を示す図である。
【図２】情報処理装置（ＰＯＳサーバ）の機能構成の一例を示すブロック図である。
【図３】商品情報格納テーブルのデータ構造の一例を示す図である。
【図４】販売情報格納テーブルのデータ構造の一例を示す図である。
【図５】纏め部材の一例を示す図である。
【図６】纏め部材の一例を示す図である。
【図７】商品情報登録ダイアログの一例を示す図である。
【図８】情報収集装置（ＰＯＳ端末）の機能構成の一例を示すブロック図である。
【図９】情報収集装置の読取側表示部に表示される価格選択画面の一例を示す図である。
【図１０】情報収集装置の読取側表示部に表示される価格選択画面の一例を示す図である。
【図１１】情報収集装置の読取側表示部に表示される価格選択画面の一例を示す図である。
【符号の説明】
【０１０２】
１  ＰＯＳ端末（情報収集装置）
７  商品
８  纏め部材
１０  読取側表示部
１１  商品リスト表示領域
１１ａ  商品ボタン
１８  産地価格リスト表示領域
１９  ターミナル側表示部
２０、１２０、２２０  操作部
２５  読取部
７０、１７０  ＣＰＵ
７１  商品リスト表示処理部
７２  産地価格情報表示処理部
７３  抽出部
１００  ＰＯＳサーバ（情報処理装置）
１１１  商品情報登録ダイアログ
１６０  大容量記憶部
１６１  商品情報格納テーブル
１６２  販売情報格納テーブル
１７１  商品情報登録部
１７２  販売情報登録部
２００  ストアコントローラ
４００  ネットワーク
５００  商品情報処理システム
【図１】
0005096968.tif 000002
【図２】
0005096968.tif 000003
【図３】
0005096968.tif 000004
【図４】
0005096968.tif 000005
【図５】
0005096968.tif 000006
【図６】
0005096968.tif 000007
【図７】
0005096968.tif 000008
【図８】
0005096968.tif 000009
【図９】
0005096968.tif 000010
【図１０】
0005096968.tif 000011
【図１１】
0005096968.tif 000012